(57)【要約】【課題】水平羽根の側端部から離れた位置に冷気を案内することで、空調可能領域を増やすことができる空調室内機の提供。【解決手段】室内機は、少なくとも冷房機能を有する室内機であって、ケーシングと、水平羽根３０と、を備えている。ケーシングには、吹出口が形成されている。水平羽根３０は、吹出口から吹き出された調和空気の風向を調整する。また、水平羽根３０は、主面と、傾斜面３２ａとを含む。主面は、略平坦である。傾斜面３２ａは、水平羽根３０の側端部３０ｂ近傍に位置している。また、傾斜面３２ａは、吹出口から側方に冷気が吹き出される時に、側方に吹き出された冷気を斜め上方に向けるための面である。【選択図】図１０
2013047584.tif 000002
【特許請求の範囲】
【請求項１】
少なくとも冷房機能を有する空調室内機であって、
吹出口（１３）が形成されているケーシング（１１）と、
前記吹出口から吹き出された調和空気の風向を調整する水平羽根（３０）と、
を備え、
前記水平羽根は、略平坦な主面（３１ａ）と、前記水平羽根の側端部（３０ｂ，３０ｂ）近傍に位置しており前記吹出口から側方に冷気が吹き出される時に側方に吹き出された冷気を斜め上方に向けるための傾斜面（３２ａ）とを含む、
空調室内機（１０）。
【請求項２】
前記傾斜面は、連続的な曲面である、
請求項１に記載の空調室内機。
【請求項３】
前記水平羽根の長手方向の寸法（Ｌ２）は、前記吹出口の長手方向の寸法（Ｌ１）よりも長く、
前記傾斜面は、前記吹出口の長手方向端部（１３ａ，１３ａ）よりも側方に位置している、
請求項２に記載の空調室内機。
【請求項４】
前記傾斜面の曲率半径は、１０ｍｍ以上である、
請求項２又は３に記載の空調室内機。
【請求項５】
前記傾斜面の幅寸法は、５ｍｍ以上３０ｍｍ以下である、
請求項１から４のいずれかに記載の空調室内機。
【発明の詳細な説明】
【技術分野】
【０００１】
本発明は、空調室内機に関する。
【背景技術】
【０００２】
従来より、空調室内機において、吹出口から吹き出された空気を、空調室内機の前方だけでなく側方に向かって案内することが可能な水平羽根を備えるものがある。例えば、特許文献１（特開平６−２８８６０５号公報）に開示されている空調室内機では、略水平方向に延びる案内面を有する水平羽根の両端部に、吹出風ガイドとして、空気流れ上流側から下流側に向かって水平羽根の側方に広がるように延びる細長いリブを設けることで、吹出口から吹き出された空気を前方だけでなく側方に向かって案内している。
【発明の概要】
【発明が解決しようとする課題】
【０００３】
ところで、冷気は下方に向かって流れる性質がある。このため、特許文献１に開示されている水平羽根のように、吹出風ガイドが設けられている以外は略水平方向に延びる案内面によって冷気が案内される場合には、吹出口から吹き出された冷気は、水平羽根の案内面に沿って流れ、その端面から下方に向かって流れることになる。この場合、水平羽根の両側端部から離れた位置に冷気を案内することができず、空調室内機の側方の領域を十分に空調できないおそれがある。
【０００４】
そこで、本発明の課題は、水平羽根の側端部から離れた位置に冷気を案内することで、空調可能領域を増やすことができる空調室内機を提供することにある。
【課題を解決するための手段】
【０００５】
本発明の第１観点に係る空調室内機は、少なくとも冷房機能を有する空調室内機であって、ケーシングと、水平羽根と、を備えている。ケーシングには、吹出口が形成されている。水平羽根は、吹出口から吹き出された調和空気の風向を調整する。また、水平羽根は、主面と、傾斜面とを含む。主面は、略平坦である。傾斜面は、水平羽根の側端部近傍に位置している。また、傾斜面は、吹出口から側方に冷気が吹き出される時に、側方に吹き出された冷気を斜め上方に向けるための面である。
【０００６】
本発明の第１観点に係る空調室内機では、水平羽根は、その側端部近傍に、吹出口から側方に吹き出された冷気を斜め上方に向けるための傾斜面を含む。このため、吹出口から側方に吹き出された冷気が水平羽根の側端部から斜め上方に向かって案内され、水平羽根の側端部から離れた位置に冷気を案内することができる。この結果、傾斜面が設けられていない水平羽根と比較して、空調室内機の側方領域であって水平羽根の側端部から遠い領域まで冷気を到達させることができる。したがって、この空調室内機では、水平羽根の側端部から離れた位置に冷気を案内することで、空調可能領域を増やすことができる。
【０００７】
本発明の第２観点に係る空調室内機は、第１観点の空調室内機において、傾斜面は、連続的な曲面である。この空調室内機では、傾斜面が連続的な曲面であるため、吹出口から側方に吹き出された冷気を、コアンダ効果によって水平羽根の側端部から斜め上方に向かってスムーズに流すことができる。
【０００８】
本発明の第３観点に係る空調室内機は、第２観点の空調室内機において、水平羽根の長手方向の寸法は、吹出口の長手方向の寸法よりも長い。また、傾斜面は、吹出口の長手方向端部よりも側方に位置している。この空調室内機では、傾斜面が吹出口の長手方向端部よりも側方に位置しているため、吹出口から側方に吹き出された冷気を、より側方に案内することができる。
【０００９】
本発明の第４観点に係る空調室内機は、第２観点又は第３観点の空調室内機において、傾斜面の曲率半径は、１０ｍｍ以上である。この空調室内機では、水平羽根の側端部近傍に位置する傾斜面の曲率半径が１０ｍｍ以上であるため、吹出口から側方に吹き出された冷気を水平羽根の側端部から側方に向かって案内しやすくすることができる。
【００１０】
本発明の第５観点に係る空調室内機は、第１観点から第４観点のいずれかの空調室内機において、傾斜面の幅寸法は、５ｍｍ以上３０ｍｍ以下である。このため、この空調室内機では、傾斜面がある程度の幅寸法を有するため、吹出口から側方に吹き出された冷気を斜め上方に向かいやすくすることができる。
【発明の効果】
【００１１】
本発明の第１観点に係る空調室内機では、水平羽根の側端部から離れた位置に冷気を案内することで、空調可能領域を増やすことができる。
【００１２】
本発明の第２観点に係る空調室内機では、吹出口から側方に吹き出された冷気を、コアンダ効果によって水平羽根の側端部から上方に向かってスムーズに流すことができる。
【００１３】
本発明の第３観点に係る空調室内機では、吹出口から側方に吹き出された冷気を、より側方に案内することができる。
【００１４】
本発明の第４観点に係る空調室内機では、吹出口から側方に吹き出された冷気を水平羽根の側端部から側方に向かって案内しやすくすることができる。
【００１５】
本発明の第５観点に係る空調室内機では、吹出口から側方に吹き出された冷気を斜め上方に向かいやすくすることができる。
【図面の簡単な説明】
【００１６】
【図１】本発明の実施形態に係る室内機の外観斜視図。
【図２】吹出口近傍の部分拡大図。
【図３】室内機の側面図。
【図４】前方吹き出し状態を採る垂直羽根を説明するための図。
【図５】側方吹き出し状態を採る垂直羽根を説明するための図。
【図６】室内機を下側（ケーシングの底面側）から視た図。
【図７】（ａ）水平羽根を案内面側から視た図、（ｂ）水平羽根のVII−VII断面図。
【図８】水平羽根の側面図。
【図９】水平羽根を案内面側から視た斜視図。
【図１０】水平羽根の断面図であって、傾斜部近傍の部分拡大図。
【図１１】水平羽根の突起部近傍を示す図。
【図１２】水平羽根が運転停止姿勢を採った状態の室内機の概略断面図。
【図１３】水平羽根が水平吹き姿勢を採った状態の室内機の概略断面図。
【図１４】水平羽根が下方吹き姿勢を採った状態の室内機の概略断面図。
【図１５】水平羽根が上方吹き姿勢を採った状態の室内機の概略断面図。
【図１６】空気調和機の備える制御部の制御ブロック図。
【図１７】（ａ）従来の室内機において水平吹き冷房モードが実行された場合の冷気の流れを説明するための図、（ｂ）本発明の実施形態に係る室内機において水平吹き冷房モードが実行された場合の冷気の流れを説明するための図。
【図１８】水平吹き冷房モードが実行されている場合の冷気の流れを説明するための図であって、（ａ）室内機を正面側から視た図、（ｂ）室内機を側面側から視た図、（ｃ）室内機を下側から視た図。
【図１９】上方吹き暖房モードが実行されている場合の暖気の流れを説明するための図であって、（ａ）室内機を正面側から視た図、（ｂ）室内機を側面側から視た図、（ｃ）室内機を下側から視た図。
【発明を実施するための形態】
【００１７】
以下、図面を参照しながら本発明の一実施形態に係る室内機１０（空調室内機に相当）について説明する。なお、以下の実施形態は、本発明の具体例であって、本発明の技術的範囲を限定するものではない。
【００１８】
（１）室内機の概略構成
図１は、運転実行時の室内機１０の外観斜視図である。図２は、運転実行時の室内機１０の部分拡大図である。図３は、運転停止時の室内機１０の側面図である。
【００１９】
室内機１０は、室内の壁面に取り付けられる壁掛型の室内機１０であって、冷房機能や暖房機能を有している。より詳しくは、室内機１０は、室外に設置される室外機９０（図１６参照）と共に空気調和機を構成しており、冷房運転や暖房運転を含む各種運転を行うことが可能である。
【００２０】
さらに、室内機１０は、主として、ケーシング１１と、垂直羽根２０と、水平羽根３０と、制御部６０（図１６参照）と、を備える。
【００２１】
（１−１）ケーシング
ケーシング１１は、水平方向に長い略直方形状を有する。また、ケーシング１１には、室内熱交換器、室内ファン１４及び垂直羽根２０等が収納されている。さらに、ケーシング１１には、吸込口１２と、吹出口１３とが形成されている。吸込口１２は、室内の空気をケーシング１１の内側に取り込むための開口であって、ケーシング１１の上部に（本実施形態では、天面１１ａに）形成されている。
【００２２】
吹出口１３は、ケーシング１１内で調和された空気を、室内に吹き出すための開口であって、室内機１０の下部近傍に室内機１０の長手方向（左右方向）に延びるように形成されている。具体的には、吹出口１３は、ケーシング１１の底面１１ｂに形成されている。また、ケーシング１１の底面１１ｂにおいて、吹出口１３の長手方向に位置する側の端部（端辺）１３ａ，１３ａ近傍の部分１１ｃ，１１ｃには、図２に示すように、滑らかに湾曲した湾曲部１１ｄ，１１ｄが形成されている。湾曲部１１ｄ，１１ｄは、後述する水平羽根３０の突起部３３に含まれる第２面３３ｃや傾斜面３２ａに沿うように湾曲している。
【００２３】
さらに、ケーシング１１内には、吸込口１２から吹出口１３に至る空気流路が形成されている。この空気流路内には、エアフィルタ、室内熱交換器、室内ファン１４、及び、垂直羽根２０等が配置されている。また、この空気流路には、図３に示すように、室内ファン１４から垂直羽根２０を介して吹出口１３に至るまでの流路部分である吹出流路Ａが含まれる。
【００２４】
エアフィルタは、室内熱交換器の上流側に配置されており、ケーシング１１内に取り込まれた室内空気から塵埃を取り除くことができる。
【００２５】
室内熱交換器は、長手方向両端で複数回折り返されてなる伝熱管と、伝熱管に挿通される複数のフィンとからなり、ケーシング１１内に吸い込まれた室内空気と接触することで熱交換を行って調和空気を生成する。また、室内熱交換器は、暖房運転時には凝縮器として機能することで調和空気として暖気を生成し、冷房運転時には蒸発器として機能することで調和空気として冷気を生成する。
【００２６】
室内ファン１４は、モータにより回転駆動される羽根車を有するクロスフローファンである。また、室内ファン１４は、吸込口１２からケーシング１１内に室内空気を吸入し、エアフィルタ及び室内熱交換器を通過させた後に、吹出口１３からケーシング１１外に調和空気を吹き出す空気流れを形成することができる。
【００２７】
（１−２）垂直羽根
図４は、垂直羽根２０が後述する前方吹き出し状態を採っている時の吹出口１３近傍の部分断面を、室内機１０の正面側から視た図である。図５は、垂直羽根２０が後述する側方吹き出し状態を採っている時の吹出口１３近傍の部分断面を、室内機１０の正面側から視た図である。
【００２８】
垂直羽根２０は、上述のように吹出流路Ａに配置されており、吹出口１３から吹き出される調和空気の左右方向の風向（空気流れ）を調整する。また、垂直羽根２０は、複数の（本実施形態では２つの）垂直羽根群２１，２１から構成されている。垂直羽根群２１，２１は、吹出口１３の長手方向に並んで配置される複数の羽根２２と、複数の羽根２２が連結されている連結棒２３と、連結棒２３を駆動させる駆動機構２４とを有する。駆動機構２４が連結棒２３を駆動させることで、連結棒２３によって連結された複数の羽根２２が同時に同方向へ揺動する。具体的には、連結棒２３によって連結された複数の羽根２２の面２２ａが、図４に示すように、ケーシング１１の長手方向に対して直交する方向に延びた状態となったり、図５に示すように、ケーシング１１の長手方向に直交する方向に対して左又は右に揺動した後に任意の角度で止まった状態となったりする。
【００２９】
なお、以下より、説明の便宜上、複数の羽根２２の面２２ａがケーシング１１の長手方向に対して直交する方向に延びた状態となったときの垂直羽根２０の状態を、前方吹き出し状態といい、複数の羽根２２の面２２ａがケーシング１１の長手方向に直交する方向に対して左又は右に揺動した後に任意の角度で止まった状態となったときの垂直羽根２０の状態を、側方吹き出し状態という。
【００３０】
垂直羽根２０が前方吹き出し状態を採る場合、吹出流路Ａを流れてきた調和空気は、羽根２２の面２２ａに沿って流れ、主に、吹出口１３の前方（正面側）に向かって吹き出される。また、垂直羽根２０が側方吹き出し状を採る場合、吹出流路Ａを流れてきた調和空気は、羽根２２の面２２ａに沿って流れ、吹出口１３の前方（正面側）及び左右側方に吹き出される。したがって、垂直羽根２０が、側方吹き出し状を採る場合には、前方吹き出し状態を採る場合と比較して、吹出口１３から吹き出される調和空気の吹き出し領域が左右方向に広げられるため、調和空気を吹出口１３から広角に吹き出させることができる。
【００３１】
（１−３）水平羽根
図６は、底面側から見た室内機１０の概略図である。図７、図８及び図９は、水平羽根３０の構成を説明するための図である。
【００３２】
水平羽根３０は、略水平方向に延びる板状の部材であって、吹出口１３の略全部を覆うことが可能である。また、水平羽根３０は、ケーシング１１に対して外側に迫り出すように駆動されて、吹出口１３のよりも空気流れ下流側に配置された所定の姿勢を採ることにより、吹出口１３から吹き出された調和空気の上下方向の風向を調整する。ここで、本実施形態では、図６に示すように、水平羽根３０の長手方向の寸法Ｌ２が、吹出口１３の長手方向の寸法Ｌ１よりも長いことから、吹出口１３から吹き出された調和空気が所定方向に向かうように調和空気の流れを規制しやすくなっている。なお、以下より、説明の便宜上、水平羽根３０において、吹出口１３から吹き出された調和空気を規制する側の面を案内面３０ａという。また、水平羽根３０の案内面３０ａは、図７及び図８に示すように、主面部３１と、傾斜部３２と、突起部３３と、を有する。
【００３３】
主面部３１は、図７及び図８に示すように、水平羽根３０の中央領域を占める部分であって、水平羽根３０が後述する運転停止姿勢を採る場合に、主に、吹出口１３の開口面に対向するように位置する部分である。また、主面部３１は、吹出口１３の開口面積と略同一の面積を有する略平坦な主面３１ａを含む。
【００３４】
傾斜部３２は、図７、図８及び図９に示すように、水平羽根３０の左右両側方領域を占める部分である。言い換えると、傾斜部３２は、水平羽根３０の左右の側端部３０ｂ，３０ｂ近傍に、すなわち、主面部３１よりも水平羽根３０の左右の側端部３０ｂ側に位置している。また、傾斜部３２は、主面３１ａに対して傾斜した傾斜面３２ａを含む。傾斜面３２ａは、傾斜部３２近傍の部分拡大図である図１０に示すように、水平羽根３０の中央側から側端部３０ｂ側に向かって迫り上がるように設けられた連続した曲面である。傾斜面３２ａは、吹出口１３から左右方向に、すなわち、室内機１０の側方に、調和空気が吹き出される時に、吹き出された調和空気を、傾斜面３２ａの傾斜方向（水平羽根３０の延びる方向に対して斜め上方向）に規制するための面である。なお、傾斜面３２ａは、室内機１０の平面視において、吹出口１３の端部１３ａ，１３ａよりも側方に位置している。また、傾斜面３２ａの曲率半径は、１０ｍｍ以上であればよく、傾斜面３２ａの幅方向（左右方向）の寸法は、５ｍｍ以上であり、かつ、３０ｍｍ以下であればよい。
【００３５】
突起部３３は、図７、図８及び図９に示すように、傾斜部３２よりも水平羽根３０の中央側に設けられている。また、突起部３３は、所定の縦断面が略三角形状を呈しており、水平羽根３０の前端部３０ｃに最も近い部分が最も肉厚であり、水平羽根３０の後端部３０ｄに向かうにつれて徐々に厚みが小さくなるように設けられている。さらに、突起部３３は、突起部３３近傍の部分拡大図である図１１に示すように、頂部３３ａと、第１面３３ｂと、第２面３３ｃと、を含む。
【００３６】
頂部３３ａは、水平羽根３０が後述する運転停止姿勢を採った状態の室内機１０を平面視した場合に、吹出口１３の端部１３ａ，１３ａよりも側方（左右方向外側）に位置している。第１面３３ｂは、頂部３３ａから水平羽根３０の中央側に向かって延びる傾斜した面である。第２面３３ｃは、頂部３３ａから傾斜面３２ａ側、すなわち、水平羽根３０の側端部３０ｂ側に向かって延びる傾斜した面である。なお、本実施形態では、第１面３３ｂ及び第２面３３ｃは、凹状に湾曲した曲面であるが、これに限定されず、傾斜していれば曲面でなくてもよい。
【００３７】
また、本実施形態では、垂直羽根２０が前方吹き出し状態を採り、水平羽根３０が後述する水平吹き姿勢を採った状態では、垂直羽根２０の有する複数の羽根２２のうち最も左右端部に配置されている羽根２２の面２２ａを水平羽根３０に向かって延ばした仮想延長面と、水平羽根３０の案内面３０ａとの交線Ｉ１は、頂部３３ａよりも水平羽根３０の中央側に位置し、垂直羽根２０が側方吹き出し状態を採り、水平羽根３０が後述する水平吹き姿勢を採った状態では、垂直羽根２０の有する複数の羽根２２のうち最も左右端部に配置されている羽根２２の面２２ａを水平羽根３０に向かって延ばした仮想延長面と、水平羽根３０の案内面３０ａとの交線Ｉ２は、頂部３３ａよりも水平羽根３０の側端部３０ｂ側に位置する（図１１参照）。なお、これに限定されず、垂直羽根２０が側方吹き出し状態を採り、水平羽根３０が後述する水平吹き姿勢を採った状態において、垂直羽根２０の有する複数の羽根２２のうち最も左右端部に配置されている羽根２２の面２２ａを水平羽根３０に向かって延ばした仮想延長面と、水平羽根３０の案内面３０ａとの交線が、頂部３３ａに位置していてもよい。また、垂直羽根２０が側方吹き出し状態を採り、水平羽根３０が後述する水平吹き姿勢を採った状態において、垂直羽根２０の有する複数の羽根２２のうち少なくとも左右端部に配置されている羽根２２の面２２ａを水平羽根３０に向かって延ばした仮想延長面と、水平羽根３０の案内面３０ａとの交線が、頂部３３ａよりも水平羽根３０の側端部３０ｂ側に、或いは、頂部３３ａに位置していればよく、例えば、垂直羽根２０が側方吹き出し状態を採り、水平羽根３０が後述する水平吹き姿勢を採った状態において、複数の羽根２２のうちの左右端部から１つ中央側に配置されている羽根２２の面２２ａを水平羽根３０に向かって延ばした仮想延長面と、水平羽根３０の案内面３０ａとの交線が、頂部３３ａよりも水平羽根３０の側端部３０ｂ側に、或いは、頂部３３ａに位置していてもよい。
【００３８】
吹出口１３から突起部３３の頂部３３ａ近傍に向かって流れた調和空気は、第１面３３ｂがあることで左右方向（側方）への拡散が妨げられる一方で、第２面３３ｃがあることで左右方向（側方）への拡散が促進される。
【００３９】
なお、本実施形態では、水平羽根３０の他に、吹出口１３から吹き出された調和空気の流れを補助的に規制する補助羽根１６を備えている。補助羽根１６は、主に、吹出口１３から吹き出された調和空気が水平羽根３０の案内面３０ａに向かうように調和空気を規制する。
【００４０】
また、水平羽根３０の所定の姿勢には、図１２に示すように、吹出口１３が塞がれた運転停止姿勢と、図１、図２、及び、図１３から図１５に示すように、吹出口１３が開放された水平吹き姿勢、前方吹き姿勢、下方吹き姿勢及び上方吹き姿勢とが含まれる。
【００４１】
運転停止姿勢とは、水平羽根３０が、吹出口１３の略全部を覆うように配置された姿勢のことである（図１２参照）。なお、本実施形態では、水平羽根３０が運転停止姿勢を採る場合には、垂直羽根２０の有する羽根２２が水平羽根３０や補助羽根１６に衝突しないように、垂直羽根２０は側方吹き出し状態を採るものとする。
【００４２】
水平吹き姿勢とは、水平羽根３０が、吹出口１３の前方（正面側）に迫り出した状態で、吹出口１３の開口面に対して略平行に配置された姿勢のことである（図１３参照）。
【００４３】
前方吹き姿勢とは、図１及び図２に示すように、水平羽根３０が、吹出口１３の前方（正面側）に迫り出した状態で、後端部３０ｄが前端部３０ｃよりも吹出口１３に近くなるように傾斜して配置された姿勢のことである。
【００４４】
下方吹き姿勢とは、図１４に示すように、水平羽根３０が、吹出口１３の前方（正面側）に迫り出した状態で、前端部３０ｃが後端部３０ｄよりも吹出口１３に近くなるように傾斜して配置された姿勢のことである。
【００４５】
上方吹き姿勢とは、図１５に示すように、水平羽根３０が、吹出口１３の前方（正面側）に迫り出した状態で、下方吹き姿勢を採った場合よりも後端部３０ｄが吹出口１３から離れるように配置された姿勢のことである。
【００４６】
さらに、水平羽根３０は、駆動モータを有する所定の駆動機構によって、その姿勢が変更され、かつ、変更された姿勢が維持される。なお、本実施形態では、ラックアンドピニオン機構を有する駆動機構４０と、リンク機構を有する駆動機構５０とによって、水平羽根３０の姿勢が変更される。具体的には、水平羽根３０の中央部及び左右の側端部３０ｂ，３０ｂに連結されている支持アーム４１，４１，４１（図１参照）が、ラックアンドピニオン機構によって前方向に向かって斜め下方に延びるように移動（迫り出し）たり、それとは逆の方向に移動して収納されたりする。また、水平羽根３０の中央部に連結されている揺動アーム５１，５１が、回動アーム５２，５２と共にリンク機構を構成しており、回動アーム５２，５２が駆動されることにより揺動アーム５１，５１が揺動し、揺動アーム５１，５１と水平羽根３０との連結部３９，３９の位置が吹出口１３に近付いたり離れたりする。
【００４７】
ここで、揺動アーム５１，５１と水平羽根３０との連結部３９，３９の位置は、支持アーム４１，４１，４１と水平羽根３０との連結部３８，３８，３８を結ぶ直線よりも水平羽根３０の後端部３０ｄに近い。このため、回動アーム５２，５２を回動させることによって、水平羽根３０を回動させることができる。また、後述する制御部６０は、ラックアンドピニオン機構による支持アーム４１，４１，４１の迫り出し量と、リンク機構における水平羽根３０の回転角度とを制御することで、水平羽根３０に種々の姿勢を採らせることができる。
【００４８】
例えば、各支持アーム４１，４１，４１の迫り出し量が同じになるようにラックアンドピニオン機構が駆動されると、各支持アーム４１，４１，４１の移動に対して回動アーム５２，５２の回動が追随されることにより、水平羽根３０が平行に移動され、水平羽根３０が水平吹き姿勢を採る。また、水平羽根３０が水平吹き姿勢を採った状態から、さらに、各支持アーム４１，４１，４１が迫り出すようにラックアンドピニオン機構が駆動され、揺動アーム５１，５１が回動アーム５２，５２に対して室内機１０を右側から見て時計回りに回動されると、水平羽根３０の前端部３０ｃが後端部３０ｄよりも下方に移動され、水平羽根３０は前方吹き姿勢を採る。また、水平羽根３０が水平吹き姿勢を採った状態から、各支持アーム４１，４１，４１が迫り出す方向とは逆の方向に移動するようにラックアンドピニオン機構が駆動され、揺動アーム５１，５１が回動アーム５２，５２に対して室内機１０を右側から見て反時計回りに回動されると、水平羽根３０の後端部３０ｄが前端部３０ｃよりも下方に移動され、水平羽根３０が下方吹き姿勢を採る。また、水平羽根３０は下方吹き姿勢を採った状態から、揺動アーム５１，５１が回動アーム５２，５２に対して室内機１０を右側から見て反時計回りにさらに回動されると、水平羽根３０の後端部３０ｄが前端部３０ｃよりも前方に移動され、水平羽根３０が上方吹き姿勢を採る。
【００４９】
（１−４）制御部
制御部６０は、図１６に示すように、室内機１０および室外機９０の各種機器と接続されており、リモートコントローラ８０を介したユーザからの運転指令に基づいて、冷房運転や暖房運転等の各運転に応じた各種機器の運転制御を行う。
【００５０】
また、リモートコントローラ８０には、ユーザが冷房運転や暖房運転等の運転モードを選択ときに操作する運転モード選択スイッチや、ユーザが調和空気の風向を選択するときに操作する風向選択スイッチが設けられている。例えば、ユーザが運転モード選択スイッチを操作することで、冷房モードが選択された場合には、制御部６０は、吹出口１３から調和空気として冷気が吹き出されるように、各種機器の駆動を制御する。また、ユーザによって風向選択スイッチが押されて風向が切り替えられた場合には、制御部６０は、ユーザによって選択された風向となるように、各駆動機構２４，４０，５０の駆動を制御して垂直羽根２０の状態及び水平羽根３０の姿勢を切り替える。
【００５１】
ユーザによって運転モードとして冷房モードが選択され、風向として前方吹きが選択された場合には、制御部６０は、垂直羽根２０の状態が前方吹き状態となるように駆動機構２４の駆動を制御し、かつ、水平羽根３０が前方吹き姿勢を採るように駆動機構４０，５０の駆動を制御する。ユーザによって運転モードとして冷房モードが選択され、風向として側方吹きが選択された場合には、制御部６０は、垂直羽根２０の状態が側方吹き状態となるように駆動機構２４の駆動を制御し、かつ、水平羽根３０が前方吹き姿勢を採るように駆動機構４０，５０の駆動を制御する。ユーザによって運転モードとして冷房モードが選択され、風向として水平吹きが選択された場合には、制御部６０は、垂直羽根２０の状態が側方吹き状態となるように駆動機構２４の駆動を制御し、かつ、水平羽根３０が水平吹き姿勢を採るように駆動機構４０，５０の駆動を制御する。ユーザによって運転モードとして暖房モードが選択され、風向として下方吹きが選択された場合には、制御部６０は、垂直羽根２０の状態が前方吹き状態となるように駆動機構２４の駆動を制御し、かつ、水平羽根３０が下方吹き姿勢を採るように駆動機構４０，５０の駆動を制御する。ユーザによって運転モードとして暖房モードが選択され、風向として前方吹きが選択された場合には、制御部６０は、垂直羽根２０の状態が前方吹き状態となるように駆動機構２４の駆動を制御し、かつ、水平羽根３０が上方吹き姿勢を採るように駆動機構４０，５０の駆動を制御する。
【００５２】
（２）吹出口から吹き出された調和空気の流れ
次に、図を用いて、ユーザによって、運転モードとして冷房モードが選択され、風向として水平吹きが選択された場合（以下、水平吹き冷房モードという）、及び、運転モードとして暖房モードが選択され、風向として前方吹きが選択された場合（以下、上方吹き暖房モードという）における調和空気の流れについて説明する。
【００５３】
（２−１）水平吹き冷房モード時の調和空気の流れ
図１７は、吹出口１３，１１３から側方に吹き出された冷気の流れを示す概念図である。図１８は、水平吹き冷房モードが実行された場合の調和空気の流れを示す図である。
【００５４】
ここで、本実施形態の室内機１０において水平吹き冷房モードが実行された場合の調和空気の流れを説明する前に、従来の室内機において水平吹き冷房モードと同様のモードが実行された場合の調和空気の流れを説明する。なお、以下に説明する従来の室内機は、水平羽根１３０の構成が、本実施形態の水平羽根３０において傾斜面３２ａや突起部３３が設けられていない、案内面１３０ａ全体が略平坦な板状の部材であるということ以外には、本実施形態の室内機１０と同様の構成である。したがって、従来の室内機において、本実施形態における水平吹き冷房モードと同様のモードが実行されると、吹出口１１３に向かって流れる冷気は、左又は右方向に傾斜した複数の羽根１２２の面１２２ａに規制されることで、ケーシングの側面側に向かって拡がるように流れ、吹出口１１３からケーシング外に吹き出される。
【００５５】
そして、吹出口１１３から吹き出され水平羽根１３０に至った冷気は水平羽根１３０の案内面１３０ａによって規制されるが、冷気は、暖気と比較して下方に向かう性質があるため、図１７（ａ）に示すように、水平羽根１３０の側端部１３０ｂに至ると、側端部１３０ｂの端面１３０ｅに沿って下方に流れる。この結果、水平羽根１３０の側端部１３０ｂから側方に離れた位置、すなわち、室内機の側方の領域に冷気を到達させることができない。
【００５６】
これに対して、本実施形態の室内機１０において、水平吹き冷房モードが実行された場合、すなわち、垂直羽根２０が側方吹き状態を採り、かつ、水平羽根３０が水平吹き姿勢を採った状態で、室内ファン１４が駆動されると、吹出口１３に向かって流れる冷気は、図１７（ｂ）に示すように、左又は右方向に傾斜した複数の羽根２２の面２２ａに規制されることで、ケーシング１１の側面に向かって拡がるように流れ、吹出口１３からケーシング１１外に吹き出される。そして、吹出口１３から吹き出された冷気は、図１８に示すように、吹出口１３の前方に位置する水平羽根３０に規制されることで、室内機１０の前方、後方、及び左右側方に向かって流れる。ここで、水平羽根３０の長手方向（左右方向）の寸法Ｌ２が、吹出口１３の長手方向の寸法Ｌ１よりも長いため、吹出口１３から側方に向かって吹き出された冷気を側方に規制しやすくなっている。また、冷気は暖気と比較して下方に向かう性質があるが、水平羽根３０の左右の側端部３０ｂ，３０ｂ近傍には、中央側から左右の側端部３０ｂ側に向かって迫り上がるように設けられた傾斜面３２ａがあることで、側方に吹き出された冷気は、傾斜面３２ａに規制されて水平方向に対して斜め上方に向かうため、冷気を水平羽根３０の左右の側端部３０ｂ，３０ｂから側方に離れた位置まで誘導することができる。これにより、従来と比較して、より側方に向かう空気流れを形成することができるため、水平羽根３０の側端部３０ｂ，３０ｂから離れた位置、すなわち、室内機１０の側方の領域に冷気を到達させることができる。
【００５７】
なお、ここでは、垂直羽根２０が側方吹き状態を採り、かつ、水平羽根３０が水平吹き姿勢を採る水平吹き冷房モードが実行された場合の冷気の流れについて説明したが、例えば、ユーザによって運転モードとして冷房モードが選択され、風向として側方吹きが選択された場合、すなわち、垂直羽根２０が側方吹き状態を採り、かつ、水平羽根３０が前方吹き姿勢を採った場合においても、吹出口１３から側方に吹き出された冷気を、傾斜面３２ａによって水平方向に対して斜め上方に向かうように規制することができるため、冷気を水平羽根３０の左右の側端部３０ｂ，３０ｂから側方に離れた位置まで誘導することができる。このように、吹出口１３から側方に向かって冷気が吹き出す場合には、傾斜面３２ａがあることで、水平羽根３０の側端部３０ｂ，３０ｂから側方に離れた位置、すなわち、室内機１０の側方の領域に冷気を到達させることができる。
【００５８】
（２−２）上方吹き暖房モード時の調和空気の流れ
図１９は、上方吹き暖房モードが実行された場合の暖気の流れを示す図である。
【００５９】
室内機１０において、上方吹き暖房モードが実行された場合、すなわち、垂直羽根２０が前方吹き状態を採り、かつ、水平羽根３０が上方吹き姿勢を採った状態で、室内ファン１４が駆動されると、吹出口１３に向かって流れる暖気は、複数の羽根２２の面２２ａに規制されることで、吹出口１３の前方（正面側）に向かって流れ、吹出口１３からケーシング１１外に吹き出される。
【００６０】
ここで、傾斜面を含まない水平羽根を備える従来の室内機において、上方吹き暖房モードと同様のモードが実行された場合には、吹出口から吹き出され水平羽根に至った暖気が水平羽根の案内面によって規制され、室内機の前方及び下方に向かって流れるが、暖気は、冷気と比較して上方に向かう性質があるため、水平羽根の側端部に至ると、側端部の端面に沿って上方に流れ、吹出口よりも上方に配置された吸込口に暖気が吸い込まれるショートサーキットが発生するおそれがある。
【００６１】
これに対して、本実施形態の室内機１０では、水平羽根３０の左右の側端部３０ｂ，３０ｂ近傍に至った暖気は、傾斜面３２ａの傾斜方向である斜め下方に規制されるため、ショートサーキットが発生するおそれを低減することができる。
【００６２】
なお、ここでは、垂直羽根２０が前方吹き状態を採り、かつ、水平羽根３０が上方吹き姿勢を採る上方吹き暖房モードが実行された場合の暖気の流れについて説明したが、垂直羽根２０が側方吹き状態を採り、かつ、水平羽根３０が上方吹き姿勢を採るようなモードがあれば、吹出口１３から側方に吹き出された暖気が傾斜面３２ａに規制されて斜め下方に向かうため、ショートサーキットが発生するおそれを低減することができる。すなわち、吹出口１３から暖気が吹き出される場合には、水平羽根３０の側端部３０ｂ，３０ｂ近傍に至った暖気が傾斜面３２ａによって斜め下方に規制されるため、ショートサーキットの発生を低減することができる。
【００６３】
（３）特徴
（３−１）
本実施形態では、水平羽根３０は、室内機１０の側方に調和空気が吹き出される時に、吹き出された冷気を、傾斜面３２ａの傾斜方向である斜め上方向に向けるための傾斜面３２ａを含む。また、傾斜面３２ａは、水平羽根３０の側端部３０ｂ，３０ｂに位置している。このため、吹出口１３から側方に吹き出された冷気が傾斜面３２ａによって斜め上方に向かうことで、水平羽根３０の側端部３０ｂ，３０ｂよりも離れた位置に冷気を誘導することができる。この結果、傾斜面が設けられていない水平羽根を備える従来の室内機と比較して、室内機の側方から遠い領域まで冷気を到達させることができる。
【００６４】
これによって、水平羽根３０の側端部３０ｂ，３０ｂから離れた位置に冷気を案内することで、空調可能領域を増やすことができている。
【００６５】
（３−２）
本実施形態では、傾斜面３２ａは、リブのように段になった形状ではなく、水平羽根３０の中央側から側端部３０ｂ側に向かって迫り上がるように設けられた連続的な曲面である。このため、吹出口１３から側方に吹き出された冷気を、コアンダ効果によって水平羽根３０の側端部３０ｂ，３０ｂから斜め上方に向かってスムーズに流すことができている。
【００６６】
（３−３）
本実施形態では、水平羽根３０の長手方向の寸法Ｌ２は、吹出口１３の長手方向の寸法Ｌ１よりも長い。このため、水平羽根の長手方向の寸法が吹出口の長手方向の寸法と同一であるような室内機と比較して、吹出口１３から側方に吹き出された冷気を、より側方に案内することができている。
【００６７】
また、本実施形態では、吹出口１３を覆うように水平羽根３０が配置された室内機１０を平面視した場合、傾斜面３２ａは、吹出口１３の長手方向に位置する側の端部１３ａ，１３ａよりも側方に位置している。これにより、吹出口１３から側方に吹き出され水平羽根３０の側端部３０ｂ，３０ｂ近傍に至った冷気を、傾斜面３２ａによって規制することで、水平羽根３０の側端部３０ｂ，３０ｂから離れた位置に案内することができている。
【００６８】
（３−４）
本実施形態では、傾斜面３２ａの曲率半径が１０ｍｍ以上である。このため、例えば、傾斜面の曲率半径が極端に小さい場合（例えば、１ｍｍである場合）と比較して、吹出口１３から側方に吹き出された冷気を、水平羽根３０の側端部３０ｂ，３０ｂから離れる方向（側方）に向かってより遠くに案内しやすくすることができている。
【００６９】
（３−５）
本実施形態では、傾斜面３２ａの幅方向（左右方向）の寸法が５ｍｍ以上あるため、吹出口１３から側方に吹き出された冷気が斜め上方に向かいやすくなっている。
【産業上の利用可能性】
【００７０】
本発明は、水平羽根の側端部から離れた位置に冷気を案内することで空調可能領域を増やすことができるため、吹出口から側方に冷気を吹き出す空調室内機への適用が有効である。
【符号の説明】
【００７１】
１０      室内機（空調室内機）
１１      ケーシング
１３      吹出口
１３ａ    端部
３０      水平羽根
３１ａ    主面
３０ｂ    側端部
３２ａ    傾斜面
【先行技術文献】
【特許文献】
【００７２】
【特許文献１】特開平６−２８８６０５号公報
【図１】
2013047584.tif 000003
【図２】
2013047584.tif 000004
【図３】
2013047584.tif 000005
【図４】
2013047584.tif 000006
【図５】
2013047584.tif 000007
【図６】
2013047584.tif 000008
【図７】
2013047584.tif 000009
【図８】
2013047584.tif 000010
【図９】
2013047584.tif 000011
【図１０】
2013047584.tif 000012
【図１１】
2013047584.tif 000013
【図１２】
2013047584.tif 000014
【図１３】
2013047584.tif 000015
【図１４】
2013047584.tif 000016
【図１５】
2013047584.tif 000017
【図１６】
2013047584.tif 000018
【図１７】
2013047584.tif 000019
【図１８】
2013047584.tif 000020
【図１９】
2013047584.tif 000021